(57)【要約】      （修正有）【課題】全てのベッド骨格部品をコンパクトにした状態で１つの梱包材で梱包できるベッド骨格体を提供する。【解決手段】ベッド骨格部品としてヘッドボード１とフットフレーム２と左右の各サイドフレーム３と２つの分割床板４１と２つの支持脚５とを有したベッド骨格体において、各サイドフレームはそれぞれ前後に略等長さずつ２分割した２つの分割フレーム３１を使用し、保管時又は輸送時には両サイドフレームを各分割フレームに分離した状態で他のベッド骨格部品と共に１つの梱包材で梱包し得るようにしているとともに、ベッド組立に際しては各側のサイドフレームにおける前後両分割フレームの端部同士を一列に突き合わせた状態でその各突き合わせ端部３２を共通の支持脚５に固定し得るようにしている。【選択図】図２
0003202742.tif 000002
【実用新案登録請求の範囲】
【請求項１】
ベッド骨格部品としてヘッドボード（１）とフットフレーム（２）と左右の各サイドフレーム（３，３）と該両サイドフレーム（３，３）間に架設され前後に２分割された２つの分割床板（４１，４１）と各サイドフレーム（３，３）の長さ方向中間部をそれぞれ支持する２つの支持脚（５，５）とを有したベッド骨格体であって、
上記各サイドフレーム（３，３）はそれぞれ前後に略等長さずつ２分割した２つの分割フレーム（３１，３１）を使用し、
保管時又は輸送時には上記両サイドフレーム（３，３）を各分割フレーム（３１，３１）に分離した状態で他のベッド骨格部品（１，２，５，５，４１，４１）と共に１つの梱包材（１０）で梱包し得るようにしているとともに、
ベッド組立に際しては上記各側のサイドフレーム（３，３）における前後両分割フレーム（３１，３１）の端部同士を一列に突き合わせた状態で該各突き合わせ端部（３２，３２）を共通の支持脚（５）に固定し得るように構成している、
ことを特徴とするベッド骨格体。
【考案の詳細な説明】
【技術分野】
【０００１】
本考案は、ベッドの骨格を構成する複数のベッド骨格部品からなるベッド骨格体に関するものである。
【背景技術】
【０００２】
図６及び図７には、従来の一般的なベッド骨格体（シングルベッド用）を示しているが、この従来のベッド骨格体は、図７に分解図示するように、ヘッドボード１と、フットフレーム２と、左右の両サイドフレーム３Ａ，３Ａと、前後に２分割された２つの分割床板４１，４１からなる床板４と、ベッド後端部を支持する左右の各支持脚６，６とからなる各種のベッド骨格部品で構成されている。そして、図７の各ベッド骨格部品（１，２，３Ａ，３Ａ，４１，４１，６，７の８点）は、図６に示すように組付けてベッド骨格体を構成し得るものである。尚、従来のベッド骨格体の中には、フットフレーム２の左右端部にそれぞれ支持脚６，６を一体に結合させたものや、該フットフレーム２として床面まで達する上下広幅のものを採用することでベッド後端部の各支持脚（符号７）を省略したものがある。
【０００３】
ところで、図６及び図７に示す従来のベッド骨格体（シングルベッド用）では、ヘッドボード１とフットフレーム２と前後２つの分割床板４４，４１と各支持脚６，６における最大寸法がベッド幅（図示例のベッド骨格体ではベッド幅が約１００cm弱）の寸法以下であるが、左右の各サイドフレーム３Ａ，３Ａは、それぞれ全長に亘って一体物の長尺フレーム（例えば長さが１９０cm強）が採用されている。
【０００４】
そして、この種のベッド骨格体を倉庫に保管したりトラックで運搬するときには、各ベッド骨格部品のうちの梱包し易い部品同士をひとまとめにして梱包するが、図６及び図７（従来例）のベッド骨格体では、左右の各サイドフレーム３Ａ，３Ａが一体物の長尺フレーム（例えば長さが１９０cm強）であるので、該両サイドフレーム３Ａ，３Ａと他のベッド骨格部品（１，２，４１，４１，６，６）とを１つの梱包材で梱包するのが非常に困難である。従って、通常は図８に示すように２つのサイドフレーム３Ａ，３Ａを長尺の梱包材１０Ａで梱包する一方、他のベッド骨格部品（１，２，４１，４１，６，６）をまとめて別の梱包材１０Ｂで梱包するようにしている。
【考案の概要】
【考案が解決しようとする課題】
【０００５】
ところが、図６〜図７に示す従来の一般的なベッド骨格体では、サイドフレーム３Ａ，３Ａとして全長に亘って一体物の長尺フレームを使用しているので、上記のように該両サイドフレーム３Ａ，３Ａと他のベッド骨格部品（１，２，４１，４１，６，６）とを図８に示すように別々の梱包材１０Ａ，１０Ｂで梱包する必要があり、従って１つのベッド骨格体で２種類の梱包材１０Ａ，１０Ｂが必要であるとともに、梱包個数が２個口となるので倉庫での保管時や持ち運び時（運送時を含む）等における取り扱いが繁雑となるという問題があった。
【０００６】
そこで、本考案は、１つのベッド骨格体において、全てのベッド骨格部品１つの梱包材で梱包できるとともに外形をコンパクトにした状態で梱包できるようにすることを目的としてなされたものである。
【課題を解決するための手段】
【０００７】
本考案は、上記課題を解決するための手段として次の構成を有している。
【０００８】
本考案は、添付の図１〜図５に例示するように、ベッド骨格部品としてヘッドボード１とフットフレーム２と左右の各サイドフレーム３，３と該両サイドフレーム３，３間に架設され前後に２分割された２つの分割床板４１，４１と各サイドフレーム３，３の長さ方向中間部をそれぞれ支持する２つの支持脚５，５とを有したベッド骨格体を対象にしている。
【０００９】
そして、本考案のベッド骨格体は、上記各サイドフレーム３，３としてそれぞれ前後に略等長さずつ２分割した２つの分割フレーム３１，３１を使用し、保管時又は輸送時には上記両サイドフレーム３，３を各分割フレーム３１，３１に分離した状態で他のベッド骨格部品１，２，５，５，４１，４１と共に１つの梱包材１０で梱包し得るようにしているとともに、ベッド組立に際しては上記各側のサイドフレーム３，３における前後両分割フレーム３１，３１の端部同士を一列に突き合わせた状態で該各突き合わせ端部３２，３２を共通の支持脚５に固定し得るように構成していることを特徴としたものである。
【００１０】
左右の各サイドフレーム３，３は、２つの分割フレーム３１，３１を一連に連続した状態ではベッド長さとして必要な１９０cm強の長さを有しているが、その全長を略等長さずつ２分割していることにより、各分割フレーム３１，３１の長さがそれぞれ略９５cm強となる。従って、各分割フレーム３１，３１の１つ当たりの長さが他のベッド骨格部品（ヘッドボード１、フットフレーム２、各分割床板４１）の左右幅以内に収まるようになる。
【００１１】
そして、本考案のベッド骨格体は、梱包時には図５に例示するように、全てのベッド骨格部品（１，２，３１，３１，３１，３１，４１，４１，５，５の１０点）をひとまとめに集約した状態で１つの梱包材１０で梱包し得るようになっているが、その梱包状態では梱包材１０の一辺の最大長さがベッドの左右幅程度となるとともに、外形が薄型矩形のシンプルでコンパクトな形状となる。
【００１２】
又、ベッド組立状態では、図３及び図４に拡大図示するように、各側のサイドフレーム３，３における前後両分割フレーム３１，３１の端部同士を一列に突き合わせた状態で、その各突き合わせ端部３２，３２を共通の支持脚５にネジ７で固定し得るようになっている。
【考案の効果】
【００１３】
本考案のベッド骨格体では、左右のサイドフレーム３，３を前後に略等長さずつ２分割した２つの分割フレーム３１，３１を使用しているので、分割フレーム３１，３１を分離してその他のベッド骨格部品とひとまとめに集約した状態では、一辺の最大寸法長さがベッドの左右幅程度となって外方に大きく突出する部分がなくなる。
【００１４】
従って、本考案のベッド骨格体は、ベッドとして使用時に長尺（ベッド長さが１９０cm強）となるものであっても、１つの梱包材１０でコンパクトに梱包できるので、梱包作業回数が１回でよいとともに、梱包が１個口であるので保管時や移送時等の取り扱いが簡単になるという効果がある。
【００１５】
又、本考案のベッド骨格体では、上記のように各サイドフレーム３，３をそれぞれ前後２つの分割フレーム３１，３１に分割したものであっても、ベッド組立に際して前後各分割フレーム３１，３１の突き合わせ端部３２，３２を共通の支持脚５に固定し得るようにしているので、サイドフレーム３が前後に分割されたものであっても、支持脚５により両分割フレーム３１，３１の組立強度が低下することがない（十分な強度を確保できる）という効果がある。
【図面の簡単な説明】
【００１６】
【図１】本願実施例のベッド骨格体の組立状態を示す斜視図である。
【図２】図１のベッド骨格体の分解斜視図である。
【図３】図１のIII矢視拡大図である。
【図４】図３のIV−IV矢視断面図である。
【図５】図１及び図２（本願実施例）のベッド骨格体の梱包状態を示す斜視図である。
【図６】従来のベッド骨格体の組立状態を示す斜視図（図１相当図）である。
【図７】図６のベッド骨格体の分解斜視図（図２相当図）である。
【図８】図６及び図７（従来例）のベッド骨格体の梱包状態を示す斜視図である。
【考案を実施するための形態】
【００１７】
以下、図１〜図５を参照して本願実施例のベッド骨格体を説明すると、図１にはベッド骨格体Ｙの組立状態を示し、図２には図１のベッド骨格体Ｙの分解状態を示している。
【００１８】
図１及び図２に示す実施例のベッド骨格体Ｙは、ヘッドボード１と、フットフレーム２と、左右のサイドフレーム３，３と、両サイドフレーム３，３間に架設される床板４と、各サイドフレーム３，３の長さ方向中間位置をそれぞれ支持する２つの支持脚５，５と、ベッド後端部の左右位置を支持する２つの支持脚６，６とで構成されている。
【００１９】
尚、本願実施例のベッド骨格体Ｙにおいても、フットフレーム２の左右端部に支持脚６，６を一体に結合させたものや、該フットフレーム２として床面まで達する上下広幅のものを採用することでベッド後端部の各支持脚６，６を省略したもの等の一般的な構成のものに置き換えることができる。
【００２０】
図１に示すベッド骨格体Ｙは、シングルサイズ用のものであって、組立状態における平面視において前後長さが２０５cm強で左右幅が９７cm程度の大きさを有しているが、セミダブルサイズ用では左右幅が１２２cm程度となり、ダブルサイズ用では左右幅が１４０cm程度となる。尚、ベッドサイズが変化しても、ベッド長さは同じである。
【００２１】
ヘッドボード１は、高さが例えば７０〜７５cmで、左右幅がベッド幅（シングルサイズ用であれば９７cm）と同じ立面板が使用されている。そして、該ヘッドボード１の下端を床面に接地させることで、ベッドの前端部を支持している。
【００２２】
フットフレーム２は、この実施例では高さ幅が低い（例えば１２cm程度の高さ幅）平板状のものが採用されている。尚、ベッド後端部の支持構造としては、従来から、フットフレーム２の左右各端部に予め支持脚６，６を固定したものや、あるいはフットフレーム２として床面まで達する上下広幅のものを採用したものがある。
【００２３】
左右の各サイドフレーム３，３は、それぞれ前後に略等長さずつ２分割した２つの分割フレーム３１，３１が使用されている。そして、各サイドフレーム３，３は、それぞれ前後の分割フレーム３１，３１を一列に連続させてベッド骨格の左右側枠を構成するようになっている。尚、各分割フレーム３１，３１の１つ当たりの長さは９５〜９７cm程度であり、両分割フレーム３１，３１を一列に連続させるとベッド長さとして必要な１９０〜１９４cm程度の長さを確保できる。
【００２４】
前後２つの分割フレーム３１，３１は、その端部同士を一列に突き合わせた状態で、その各側の突き合わせ端部３２，３２を共通の支持脚５に固定することによって連続状態で使用される。
【００２５】
各分割フレーム３１，３１の突き合わせ端部３２，３２の内面側には、後述するネジ７を螺合させるためのネジ筒３４，３４（図４参照）が埋め込まれている。尚、各側の突き合わせ端部３２，３２と支持脚５との固定方法については後述する。
【００２６】
各分割フレーム３１，３１・・（合計４つ）のそれぞれ内面には、床板４（後述の各分割床板４１，４１）の左右縁部を載せ掛けるための受け桟３３が固定されている。
【００２７】
床板４も、それぞれ前後に略等長さずつ２分割した２つの分割床板４１，４１を使用している。各分割床板４１，４１は、前後に所定間隔をもって左右向きに並置した複数本の桟木４２，４２・・上に前後向きで複数枚の細板４３，４３・・を固定して形成されたものである。尚、床板４として前後に２分割した２つの分割床板４１，４１を使用するのは、一般に行われていることであり、且つ各分割床板４１として複数本の桟木４２と複数枚の細板４３とを組付けたものも一般的である。
【００２８】
サイドフレーム３，３の長さ方向中間部を支持する各支持脚５，５は、図２〜図４に示すように、所定高さの角柱体５１の上半部に各分割フレーム３１，３１の両突き合わせ端部３２，３２を載せ得る段部５２を設けているとともに、角柱体上半部の薄肉部５３に複数個のネジ挿通穴５４，５４・・を設けて構成されている。
【００２９】
そして、この各支持脚５，５による両分割フレーム３１，３１の支持構造は次の通りである。即ち、図３及び図４に示すように、前後の各分割フレーム３１，３１の突き合わせ端部３２，３２を一列に接合させた状態で該両突き合わせ端部３２，３２を角柱体５１の段部５２上に載せ掛け、角柱体５１の内面側からネジ挿通穴５４，５４を通してネジ７，７を突き合わせ端部３２，３２のネジ筒３４，３４にネジ込むことで、両突き合わせ端部３２，３２を共通の支持脚５に固定し得るようになっている。
【００３０】
尚、各分割フレーム３１，３１のヘッドボード側端部及びフットフレーム側端部は、それぞれ一般的に手法でヘッドボード１及びフットフレーム２に連結されている。
【００３１】
この実施例のベッド骨格体Ｙは、梱包時には図５に示すように、両サイドフレーム３，３をそれぞれ２つの分割フレーム３１，３１に分離した状態で、全てのベッド骨格部品（１，２，３１，３１，３１，３１，４１，４１，５，５の１０点）をひとまとめに集約させると、それらのベッド骨格部品が全体として平面視矩形で比較的薄型のコンパクトな形状にできる。即ち、図５に示すベッド骨格部品の集約状態では、ヘッドボード１（又は分割床板４１）の外形より外側にはみ出る部分がなく、非常にスッキリした形状となる。
【００３２】
そして、このように全てのベッド骨格部品をコンパクトに集約させ得ると、図５に示すように、１つの梱包材１０で梱包できるとともに、非常にコンパクトに梱包できる。従って、この実施例のベッド骨格体Ｙは、ベッドとして使用時にサイドフレーム３が長尺（ベッド長さが１９０cm強）となるものであっても、１つの梱包材１０でコンパクトに梱包できるので、梱包作業が１回で済むとともに、梱包が１個口となるので保管時や運搬時等の取り扱いが非常に簡単になるという利点がある。
【００３３】
又、この実施例のベッド骨格体Ｙは、図３及び図４に拡大図示するように、各側のサイドフレーム３，３における前後両分割フレーム３１，３１の端部同士を一列に突き合わせた状態で、その各突き合わせ端部３２，３２を共通の支持脚５にネジ７で固定し得るようになっているので、サイドフレーム３が分割されたものであっても、支持脚５により両分割フレーム３１，３１の組立強度が低下することがない（十分な強度を確保できる）という利点がある。
【符号の説明】
【００３４】
１はヘッドボード、２はフットフレーム、３はサイドフレーム、４は床板、５は支持脚、１０は梱包材、３１は分割フレーム、３２は突き合わせ端部、４１は分割床板、Ｙはベッド骨格体である。
【図１】
0003202742.tif 000003
【図２】
0003202742.tif 000004
【図３】
0003202742.tif 000005
【図４】
0003202742.tif 000006
【図５】
0003202742.tif 000007
【図６】
0003202742.tif 000008
【図７】
0003202742.tif 000009
【図８】
0003202742.tif 000010